(57)【要約】【課題】構造が簡単化になり、生産コストが低減になり、コンパクトディスクの送り時間が短縮になり、操作が極めて簡単である。【解決手段】コンパクトディスクに対応する収容空間と、外部に開放し前記収容空間と連続する送り溝と、押しユニットと、駆動ユニットとを含むコンパクトディスク用送り機構において、前記押しユニットは、前記収容空間と前記送り溝との間に摺動自在に設けられ、コンパクトディスクに応じて前記送り溝の前に設けられる当接部を有し、前記押しユニットの摺動により前記当接部が前記収容空間に進出するようになり、前記駆動ユニットは、前記押しユニットが前記収容空間へ摺動させるように前記押しユニットを押すことを特徴とするコンパクトディスク用送り機構。【選択図】図１
0003127844.tif 000002
【実用新案登録請求の範囲】
【請求項１】
コンパクトディスクに対応する収容空間と、外部に開放し前記収容空間と連続する送り溝と、押しユニットと、駆動ユニットとを含むコンパクトディスク用送り機構において、
前記押しユニットは、前記収容空間と前記送り溝との間に摺動自在に設けられ、コンパクトディスクに応じて前記送り溝の前に設けられる当接部を有し、前記押しユニットの摺動により前記当接部が前記収容空間に進出するようになり、
前記駆動ユニットは、前記押しユニットが前記収容空間へ摺動させるように前記押しユニットを押すことを特徴とする、
コンパクトディスク用送り機構。
【請求項２】
受け台と、押しユニットと、駆動ユニットと、コンパクトディスク放置台とを含み、
前記受け台は、前記受け台を貫通する開口と、前記開口にあるエッジと前記受け台との間に形成されたスライド溝とを含み、前記送り溝が前記受け台に開設され、
前記押しユニットは、前記受け台にある送り溝に摺動自在に設けられ、前記開口の表面には互いに対向する当接部がそれぞれ成形してあり、
前記駆動ユニットは、一つの支え具と、少なくとも一つの弾性部材とを含み、前記支え具が前記受け台にあるスライド溝に枢設され前記押しユニットに接触し、前記弾性部材は、前記押しユニットの摺動方向に設けられ、前記押しユニットと、前記受け台にあるスライド溝の壁面との間に連接され、
前記コンパクトディスク放置台は、収容空間と、支え具に設けられた収容穴とを含み、前記受け台に設置され前記押しユニットをカバーし、前記支え具に設けられた収容穴により前記支え具の一部が外部に露出することを特徴とする、請求項１に記載のコンパクトディスク用送り機構。
【請求項３】
前記押しユニットの第一支え具と第二支え具とを結合すると環状構造の押しユニットが形成され、且つ前記第一支え具と第二支え具とから構成される当接部は、環状構造の押しユニットの内サークルの壁面から環状構造の押しユニットの円心へ成形されることを特徴とする、請求項２に記載のコンパクトディスク用送り機構。
【請求項４】
前記駆動ユニットは、一体成形されたものであり、前記受け台に枢設され、一端が外部に露出し、他端が前記押しユニットに当接することを特徴とする、請求項１に記載のコンパクトディスク用送り機構。
【請求項５】
前記前記駆動ユニットは、一つのシャフトと、少なくとも一つの支え具と、一つの操縦レバーとから構成され、
前記シャフトは、前記受け台のスライド溝内に組み付けられ、
前記支え具は、前記受け台のスライド溝内に位置し、前記シャフトに両端に嵌められて前記押しユニットに当接し、
前記操縦レバーは、一部が前記受け台のスライド溝内に設置され前記シャフトに嵌められ、その本体が前記受け台の支え具にある収容穴を挿通して前記受け台の外部に突出することを特徴とする、請求項２に記載のコンパクトディスク用送り機構。
【請求項６】
前記受け台の開口の周縁には、互いに対向する規制凸部が二つ設けてあることを特徴とする、請求項２に記載のコンパクトディスク用送り機構。
【請求項７】
前記受け台のスライド溝には、前記押しユニットにある二つの当接部に応じて摺動溝が設けられ、前記二つの当接部が前記摺動溝に摺動可能に設けられることを特徴とする、請求項２に記載のコンパクトディスク用送り機構。
【請求項８】
前記受け台の送り溝には、前記押しユニットのスライド方向に応じてコンパクトディスクの形状に対応する排出口が設けてあることを特徴とする、請求項２に記載のコンパクトディスク用送り機構。
【請求項９】
前記開口の底部には、外部に開放する送り斜面が形成してあることを特徴とする、請求項２に記載のコンパクトディスク用送り機構。
【請求項１０】
前記受け台の送り溝は、斜めに設けられ、前記開口に応じて送り案内具が若干設けてあり、前記送り案内具は、前記開口の周壁に設けられ、コンパクトディスクを前記排出口の方向へ案内することを特徴とする、請求項８に記載のコンパクトディスク用送り機構。
【考案の詳細な説明】
【技術分野】
【０００１】
本考案は、コンパクトディスク用送り機構に係り、特に、重ねて放置されたコンパクトディスクを一つ一つ送出し可能のコンパクトディスク用送り機構に関するものである。
【背景技術】
【０００２】
目下、コンパクトディスクの自動化送り方式は、主に、レバーと吸盤となどの部材で構成されるロボットを通じてコンパクトディスクを自動に送り出すことであり、すなわち、吸盤によって最上端のコンパクトディスクを吸着した後、トレーまたは予定箇所まで輸送し、しかし、この方式は次のような欠点があった。
【０００３】
（イ）レバーと吸盤との間の構造および組付け関係が極めて複雑であり、且つ制御回路も極めて複雑であるので、生産コストが高くなる。
【０００４】
（ロ）コンパクトディスクの送り過程中には、吸着、移動と吸引力解除などの動作を順次に実施することが必要であるので、送り作業は時間がかなり掛かられ、生産コストが高くなる。
【０００５】
（ハ）このような複雑の構造は、工場だけ使用可能であり、個人的なものに適用できない。
【０００６】
一般の会社または個人のコンパクトディスクの収納方式は、コンパクトディスク収容筒にコンパクトディスクを重ねて放置し、コンパクトディスクを取り出そうとする場合には、まず、コンパクトディスク収容筒のカバーを開けて、最上層のコンパクトディスクを取り出した後、カバーをカバーし、だから、コンパクトディスクの取り出しは、カバーを重複に開けて閉じることが必要であり、だから、使用は極めて不便である。
【０００７】
収容筒にコンパクトディスクを補充するときに、前のコンパクトディスクを先に使用する原則を守るために、前のコンパクトディスクを取り出して新品のコンパクトディスクを収容筒に入れた後、前のコンパクトディスクを収容筒に入れることが必要であるので、使用は極めて不便である。
【考案の開示】
【考案が解決しようとする課題】
【０００８】
本考案の主な目的は、構造が簡単化されたコンパクトディスク用送り機構を提供する。
【０００９】
本考案の次の目的は、生産コストを低減できるコンパクトディスク用送り機構を提供する。
【００１０】
本考案の別の目的は、コンパクトディスクの送り時間を短縮可能のコンパクトディスク用送り機構を提供する。
【００１１】
本考案の更に別の目的は、操作が極めて簡単であるコンパクトディスク用送り機構を提供する。
【課題を解決するための手段】
【００１２】
上記目的を達成するためになされた本願の考案は、コンパクトディスクに対応する収容空間と、外部に開放し前記収容空間と連続する送り溝と、押しユニットと、駆動ユニットとを含むコンパクトディスク用送り機構において、前記押しユニットは、前記収容空間と前記送り溝との間に摺動自在に設けられ、コンパクトディスクに応じて前記送り溝の前に設けられる当接部を有し、前記押しユニットの摺動により前記当接部が前記収容空間に進出するようになり、前記駆動ユニットは、前記押しユニットが前記収容空間へ摺動させるように前記押しユニットを押すことを特徴とするコンパクトディスク用送り機構であることを要旨としている。
【００１３】
本願の考案では、受け台と、押しユニットと、駆動ユニットと、コンパクトディスク放置台とを含み、前記受け台は、前記受け台を貫通する開口と、前記開口にあるエッジと前記受け台との間に形成されたスライド溝とを含み、前記送り溝が前記受け台に開設され、前記押しユニットは、前記受け台にある送り溝に摺動自在に設けられ、前記開口の表面には互いに対向する当接部がそれぞれ成形してあり、前記駆動ユニットは、一つの支え具と、少なくとも一つの弾性部材とを含み、前記支え具が前記受け台にあるスライド溝に枢設され前記押しユニットに接触し、前記弾性部材は、前記押しユニットの摺動方向に設けられ、前記押しユニットと、前記受け台にあるスライド溝の壁面との間に連接され、前記コンパクトディスク放置台は、収容空間と、支え具に設けられた収容穴とを含み、前記受け台に設置され前記押しユニットをカバーし、前記支え具に設けられた収容穴により前記支え具の一部が外部に露出することを特徴とする請求項１に記載のコンパクトディスク用送り機構であることを要旨としている。
【００１４】
本願の考案では、前記押しユニットの第一支え具と第二支え具とを結合すると環状構造の押しユニットが形成され、且つ前記第一支え具と第二支え具とから構成される当接部は、環状構造の押しユニットの内サークルの壁面から環状構造の押しユニットの円心へ成形されることを特徴とする請求項２に記載のコンパクトディスク用送り機構であることを要旨としている。
【００１５】
本願の考案では、前記駆動ユニットは、一体成形されたものであり、前記受け台に枢設され、一端が外部に露出し、他端が前記押しユニットに当接することを特徴とする請求項１に記載のコンパクトディスク用送り機構であることを要旨としている。
【００１６】
本願の考案では、前記前記駆動ユニットは、一つのシャフトと、少なくとも一つの支え具と、一つの操縦レバーとから構成され、前記シャフトは、前記受け台のスライド溝内に組み付けられ、前記支え具は、前記受け台のスライド溝内に位置し、前記シャフトに両端に嵌められて前記押しユニットに当接し、前記操縦レバーは、一部が前記受け台のスライド溝内に設置され前記シャフトに嵌められ、その本体が前記受け台の支え具にある収容穴を挿通して前記受け台の外部に突出することを特徴とする請求項２に記載のコンパクトディスク用送り機構であることを要旨としている。
【００１７】
本願の考案では、前記受け台の開口の周縁には、互いに対向する規制凸部が二つ設けてあることを特徴とする請求項２に記載のコンパクトディスク用送り機構であることを要旨としている。
【００１８】
本願の考案では、前記受け台のスライド溝には、前記押しユニットにある二つの当接部に応じて摺動溝が設けられ、前記二つの当接部が前記摺動溝に摺動可能に設けられることを特徴とする請求項２に記載のコンパクトディスク用送り機構であることを要旨としている。
【００１９】
本願の考案では、前記受け台の送り溝には、前記押しユニットのスライド方向に応じてコンパクトディスクの形状に対応する排出口が設けてあることを特徴とする請求項２に記載のコンパクトディスク用送り機構であることを要旨としている。
【００２０】
本願の考案では、前記開口の底部には、外部に開放する送り斜面が形成してあることを特徴とする請求項２に記載のコンパクトディスク用送り機構であることを要旨としている。
【００２１】
本願の考案では、前記受け台の送り溝は、斜めに設けられ、前記開口に応じて送り案内具が若干設けてあり、前記送り案内具は、前記開口の周壁に設けられ、コンパクトディスクを前記排出口の方向へ案内することを特徴とする請求項８に記載のコンパクトディスク用送り機構であることを要旨としている。
【考案の効果】
【００２２】
本考案のコンパクトディスク用送り機構によれば、構造が簡単化になり、生産コストが低減になり、コンパクトディスクの送り時間が短縮になり、操作が極めて簡単である効果がある。
【考案を実施するための最良の形態】
【００２３】
以下、添付図面を参照して本考案の好適な実施の形態を詳細に説明する。
【００２４】
まず、図１乃至図３を参照する。本考案のコンパクトディスク用送り機構の本体は、受け台１０と、コンパクトディスク放置台２０とから構成され、前記本体内には、押しユニット３０と駆動ユニット４０とが組付けてある。
【００２５】
前記受け台１０は、その表面に開口１１とスライド溝１２とが設けてあり、前記開口１１の周縁には環状の立設壁１３が設けてあり、前記立設壁１３には互いに対向する規制凸部１３１，１３２が設けてあり、前記規制凸部１３１と前記規制凸部１３２との最小距離がコンパクトディスクＡの直径よりも小さく、これにより、コンパクトディスクＡが前記規制凸部１３１，１３２に規制され、前記規制凸部１３１は、円弧形状に湾折しており、その下縁に回避溝１３３が成形してあり、前記規制凸部１３１，１３２には摺動溝１３４，１３５がそれぞれ成形され、なお、前記立設壁１３には補助摺動溝１３６が別に成形され、また、前記受け台１０内には前記開口１１と連通する送り溝１４が設けてあり、前記送り溝１４が前記受け台１０へ開放し、前記送り溝１４の底面が送り斜面１３１であり、また、スライド溝１２内には収容空間１２１が二つ成形してあり、前記二つの収容空間１２１の間には枢着溝１２２が成形してある。
【００２６】
前記コンパクトディスク放置台２０は、円筒形状の部材であり、その内部にはコンパクトディスクＡを収納する収容空間が設けてあり、ネジにより前記コンパクトディスク放置台２０が前記受け台１０に固定されて本体を構成し、前記コンパクトディスク放置台２０が受け台１０の開口１１に応じて貫通孔２１が一つ開設してあり、前記コンパクトディスクＡが貫通孔２１を通過可能であり、前記貫通孔２１の壁面には回避溝２２が成形してあり、また、前記コンパクトディスク放置台２０には、受け台１０の収容空間１２１に応じて環状穴２３が開設してあり、前記コンパクトディスク放置台２０の貫通孔２１が受け台１０の規制凸部１３１，１３２からずれた。
【００２７】
前記押しユニット３０は、一つの貫通孔３１を有する環状フレーム部材であり、受け台１０とコンパクトディスク放置台２０との間に組み付けられ、受け台１０のスライド溝１２に摺動可能に設けられ、その底部の側縁に近接する箇所では被当接部３２が二つ設けてあり、スライド溝１２の収容空間１２１内に位置され、なお、前記押しユニット３０の他側には収容空間３３が二つ成形され、前記各収容空間３３内には一つの弾性部材３４がそれぞれ組付けてあり、本実施例では、弾性部材３４がバネであり、且つ弾性部材３４の一端が収容空間３３の底面に当接し、弾性部材３４の他端が受け台１０のスライド溝１２の壁面に当接し、前記押しユニット３０の貫通孔３１の壁面には前記貫通孔３１の円心に向き互いに対向する当接部３１１，３１２が設けてあり、また、補助当接部３１３が別に二つ成形され、前記当接部３１１，３１２が前記押しユニット３０に合せて受け台１０にある摺動溝１３４，１３５に摺動可能に設けられ、なお、補助当接部３１３が受け台１０にある補助摺動溝１３６に摺動可能に設けられ、前記押しユニットの貫通孔３１にある当接部３１１，３１２の間の距離はコンパクトディスクＡがちょうど通過可能の大きさである。
【００２８】
前記駆動ユニット４０は、一つのシャフト４１と、二つの支え具４２と、一つの操縦レバー４３とから構成され、受け台１０に組み付けられ、前記シャフト４１が枢着溝１２２内に位置され、前記支え具４２は、収容空間１２１内に位置され、押しユニット３０の被当接部３２に当接し、前記操縦レバー４３は、一端が収容空間内に位置され、他端が前記コンパクトディスク放置台２０にある環状穴２０を挿通して操縦レバー４３を移動する。
【００２９】
また、図１乃至図６を参照する。図１乃至図６に示すように、コンパクトディスクＡがコンパクトディスク放置台２０にある収容空間内に収容され、ユーザーが駆動ユニット４０にある操縦レバー４３を移動すると、操縦レバー４３がシャフト４１を回転し支え具４２を駆動し、そうすると、支え具４２がシャフト４１を中心として適当な角度で旋回し、なお、支え具４２が押しユニット３０の被当接部３２に当接し、これにより、押しユニット３０が受け台１０にあるスライド溝１２を摺動する。
【００３０】
このとき、受け台１０にある規制凸部１３１，１３２に位置するコンパクトディスクＡは、一端が押しユニット３０にある当接部３１１に押され、この端部が規制凸部１３１の規制から離脱するまでに、前記当接部３１１が受け台１０にある摺動溝１３４を摺動し、この端部が規制凸部１３１の規制から離脱した際に、この端部が受け台１０の回避溝１３３に落ちられ、なお、コンパクトディスクＡの他端は、依然として規制凸部１３２に規制され、且つコンパクトディスク放置台２０の回避溝２２に規制され、このとき、コンパクトディスクＡが傾斜状態にあり、且つ押しユニット３０が受け台１０のスライド溝１２を摺動している際に、押しユニット３０の弾性部材３４が収容空間３３と、受け台１０にあるスライド溝１２の壁面とに圧縮される。
【００３１】
ユーザーが操縦レバー４３を開放した後、前記弾性部材３４が圧縮されなくなり、前記弾性部材３４の弾性力により押しユニット３０が復帰するようになり、且つ押しユニット３０の復帰の過程中に、押しユニット３０の当接部３１２と補助当接部３１３とはそれぞれ前記受け台１０の摺動溝１３５と補助摺動溝１３６とを摺動し、これにより、コンパクトディスクＡの他端が押されてコンパクトディスクＡのこの端が規制凸部１３２の規制から離脱するようになり、このとき、コンパクトディスクＡが受け台１０の送り溝１４内に落下するようになり、また、送り斜面１４１が外側へ下に傾斜する形態であるので、前記送り斜面１４１によりコンパクトディスクＡは外部にスムーズに滑り出すことができる。
【００３２】
また、図７乃至図９に示すのは本考案の実施例２であって、当該駆動ユニット５０は、一体成形されたものであり、前記受け台１０に枢設され、一端が外部に露出し、他端が前記押しユニット６０に当接し、また、送り斜面の代わりに送り溝に送り案内具１５１が設けてあり、なお、押しユニット６０が突出した固定具６３によって弾性部材６４を位置決め、そうすると、全体の構成が簡単化になる。
【００３３】
また、ユーザーが手で駆動ユニット５０を移動すると、駆動ユニット５０が押しユニット６０のエッジ６２を直接に押さえて、押しユニット６０が受け台１０のスライド溝１２を摺動する。
【００３４】
このとき、受け台１０にある規制凸部１３７，１３８と当接部６１１に位置するコンパクトディスクＡは、押しユニット６０が移動されるので、当接部６１２も移動するようになり、だから、押しユニット６０の当接部６１１がコンパクトディスクＡの一端を支持しなくなり、コンパクトディスクＡは、送り溝１５へ傾斜した規制凸部１３７に落下し、前記規制凸部１３７の斜面のより低い部位と規制凸部１３８とに支持され、操縦レバー５０の移動に従って、当接部６１２がコンパクトディスクＡに当接して、だから、コンパクトディスクＡは、規制凸部１３８から離脱して、規制凸部１３７の斜面の案内で送り溝１５に落下するようになる。
【００３５】
前記送り溝１５の両側には送り案内具１５１がそれぞれ設けてあり、全ての前記二つの送り案内具１５１の上縁が排出口１６へ傾斜し、前記送り案内具１５１の上縁は、排出口１６までに傾斜し、排出口１６以後の部分が水平になり、だから、コンパクトディスクＡが排出口１６までに送り案内具１５１に斜めに案内され、ユーザーが駆動ユニット５０を開放した後、弾性部材６４が圧縮されなくなり、前記弾性部材６４の弾性力により押しユニット６０が復帰されるようになる。
【００３６】
本考案は、受け台１０にある規制凸部１３１，１３２と、コンパクトディスク放置台２０にある貫通孔２１とが互いにずれた構成、または規制凸部１３７，１３８と当接部６１１，６１２とが突出した構成により、コンパクトディスクＡが平常時に通過できなく、だから、コンパクトディスク放置台２０に放置されたコンパクトディスクＡは平常時に落下しない。
【００３７】
そしてコンパクトディスクＡが押しユニット３０の当接部３１１に押された後、コンパクトディスクＡの一端が受け台１０の回避溝１３３に落下し、このとき、当接部３１１がコンパクトディスク放置台２０にある貫通孔２１の下縁に移動して次のコンパクトディスクＡをストップし、なお、傾斜のコンパクトディスクＡの他端は、規制凸部１３２と、コンパクトディスク放置台２０にある回避溝２２とに規制され、だから、この過程中にコンパクトディスクＡが落下しない。
【００３８】
本考案の実施例１では、コンパクトディスク放置台２０にある回避溝２２と、押しユニット３０にある規制凸部１３２との間の距離は、二つの重ねたコンパクトディスクＡの厚さよりも小さく、一つのコンパクトディスクＡの厚さよりも大きく、また、実施例２では、規制凸部１３７の傾斜度と、規制凸部１３８との組合により、その構成は一枚のコンパクトディスクＡだけ通過可能である。
【００３９】
また、本考案の押しユニットはより複雑な構成を採用してもよく、例えば押しユニットは、当接部を有する第一支え具と、当接部を有する第二支え具とから構成され支え具が連動可能のものであり、且つ第一支え具と第二支え具とを結合すると環状の押しユニットが形成され、且つ第一支え具と第二支え具とから構成される当接部は、環状構造の押しユニットの内サークルの壁面から環状構造の押しユニットの円心へ成形される。
【００４０】
また、駆動ユニットと、押しユニットの一側に設置された弾性部材とは、皆に知られる複雑な構成と組合ってもよく、これらの変化は全て本考案の実用新案登録請求の範囲に属する。
【００４１】
また、コンパクトディスク放置台に若干のコンパクトディスクが残る場合には、最下端のコンパクトディスクが先に排出されるので、コンパクトディスクの補充は上からコンパクトディスク放置台に投入するだけで済むので、先に入れたものを先に使用する原則に守ることができる。
【００４２】
また、本考案の実施例では、駆動ユニットが手動方式でコンパクトディスクを送るが、駆動ユニットにモータや電磁弁などの駆動部材を組付けると、コンパクトディスクの排出の自動化が可能になる。
【００４３】
また、本考案の実施例では、受け台の開口によりコンパクトディスクが一つ一つ受け台から排出されるが、前記開口が受け台を貫通する構成にしてもよく、すなわち、開口の底端をコンベヤーまたはトレーなどの自動運搬装置に対応してもよく、そうすると、コンパクトディスクが次の工程（例えば包装やケースに入れるなど）にスムーズに入ることができる。
【図面の簡単な説明】
【００４４】
【図１】本考案の実施例１の分解斜視図である。
【図２】本考案の実施例１の組合状態の一部剖開の概略図である。
【図３】本考案の実施例１の作動を示す一部剖開の概略図である。
【図４】本考案の実施例１のコンパクトディスクの送り状態を示す概略図１である。
【図５】本考案の実施例１のコンパクトディスクの送り状態を示す概略図２である。
【図６】本考案の実施例１のコンパクトディスクの送り状態を示す概略図３である。
【図７】本考案の実施例２の分解斜視図である。
【図８】本考案の実施例２のコンパクトディスクの送り状態を示す概略図１である。
【図９】本考案の実施例２のコンパクトディスクの送り状態を示す概略図２である。
【符号の説明】
【００４５】
１０      受け台                    １１      開口
１２      スライド溝                １２１    収容空間
１２２    枢着溝                    １３      立設壁
１３１    規制凸部                  １３２    規制凸部
１３３    回避溝                    １３４    摺動溝
１３５    摺動溝                    １３６    補助摺動溝
１３７    規制凸部                  １３８    規制凸部
１４      送り溝                    １４１    送り斜面
１５      送り溝                    １５１    送り案内具
１６      排出口
２０      コンパクトディスク放置台
２１      貫通孔                    ２２      回避溝
２３      環状穴                    ３０      押しユニット
３１      貫通孔                    ３１１    当接部
３１２    当接部                    ３１３    補助当接部
３２      被当接部                  ３３      収容空間
３４      弾性部材                  ４０      駆動ユニット
４１      シャフト                  ４２      支え具
４３      操縦レバー                ５０      駆動ユニット
６０      押しユニット              ６１      貫通孔
６１１    当接部                    ６１２    当接部
６２      エッジ                    ６３      固定具
６４      弾性部材                  Ａ        コンパクトディスク
【図１】
0003127844.tif 000003
【図２】
0003127844.tif 000004
【図３】
0003127844.tif 000005
【図４】
0003127844.tif 000006
【図５】
0003127844.tif 000007
【図６】
0003127844.tif 000008
【図７】
0003127844.tif 000009
【図８】
0003127844.tif 000010
【図９】
0003127844.tif 000011